【事件の表示】
　平成１１年特許願第３２９８７５号「非駆動型遅延再生テレビ装置」拒絶査定に対する審判事件［平成１３年　５月２９日出願公開、特開２００１−１４８８２４］について、次のとおり審決する。
【結　論】
　本件審判の請求は、成り立たない。
【理　由】
１　本願発明
　本願は、平成１１年１１月１９日の出願であって、その請求項１に係る発明（以下、「本願発明」という）は、平成１４年３月８日、平成１５年５月２９日、平成１５年１０月２７日付けの手続補正書により補正された明細書および図面の記載からみて、特許請求の範囲の請求項１に記載された次のとおりのものと認める。
「【請求項１】　テレビ本体部と、エンドレス記録／再生部と、記録／再生制御部とを備え、見る予定をしていたテレビ放映番組を都合により見られなくなった場合であっても、後から遅延再生できる非駆動型遅延再生テレビ装置であって、
　前記エンドレス記録／再生部は、互いに独立して記録し再生することができる２つのメモリを備え、その内の第１のメモリは、常時、エンドレスでテレビ放映番組を自動的に記録しており、操作者の指示により、現在放映中のテレビ放映番組を放映開始よりも遅延してみる際には、該第１のメモリへの記録を中止して番組最初からの再生を開始するようにしたメモリとして構成し、他の第２のメモリは前記第１のメモリが再生を開始すると、記録を開始するようにしたメモリとして構成したことを特徴とする非駆動型遅延再生テレビ装置。」
　
２　刊行物発明
 （１）これに対して、当審拒絶理由で引用された、本願の出願日前である平成８年６月７日に頒布された「特開平８−１４７８００号公報」（以下、「刊行物１」という）には次の事項が記載されている。
ア　「図１は本発明のＶＴＲの第１実施例の構成を示すブロック図・・・（中略）・・・と、放送局より送られてくるテレビ番組の電波を受信するためのアンテナ３０と、ＶＴＲを再生して見るためのモニターテレビ２０とから成るシステム構成図である。ＶＴＲ１０は、カセットに格納された磁気テープ（図示せず）を走行させて回転ヘッドや固定ヘッドにより磁気テープ上に映像音声信号を記録再生する第１のメカニズム部１と第２のメカニズム部２と、記録動作時にアンテナ３０により入力される信号から所望の番組を選局するチューナ回路や復調された映像音声信号を分離してそれぞれ上記磁気テープ上へ記録できる記録信号に変換処理を行う変調回路等から成る記録信号処理部４と、再生動作時に上記２個のメカニズム部１，２のいずれかから出力される再生信号を復調して映像音声信号を出力する再生信号処理部５と、第１のメカニズム部１および第２のメカニズム部２と再生信号処理部５との接続を切り換えるスイッチ回路６と、前記第１のメカニズム部１と第２のメカニズム部２と記録信号処理部４と再生信号処理部５とスイッチ回路６を各動作モードに応じて制御するシステムコントロール部７とから構成されている。」（５頁８欄１７行ないし３７行、図１）
イ　「タイマ予約録画の開始時刻である２１時にシステムコントロール部７は図３のタイマ処理７１と第１のメカニズム部制御処理７３と記録信号処理部制御処理７５により記録信号処理部４を起動して予約設定されたチャンネルにチューナを選局するとともに、第１のメカニズム部１を記録モードにして磁気テープを走行させ、記録信号処理部４からの映像音声信号の記録信号を磁気テープ上に記録させる（図１のＲＥＣ（１）の部分）。このまま何もなければ２３時まで記録を継続するのであるが、その途中の２１時３０分に再生開始指令が入力されたためにシステムコントロール部７は図３のキー入力処理７２でそれを検知し、図３の第２メカニズム部制御処理７４と記録信号処理部制御処理７５により第２のメカニズム部２を記録モードにして磁気テープを走行させ、記録信号処理部４からの映像音声信号の記録信号を磁気テープ上に記録させる（図２のＲＥＣ（２）の部分；約３２分）と同時に、図３の第１のメカニズム部制御処理７３により第１のメカニズム部１を記録停止させた後、記録開始時のテープ位置まで巻き戻し動作させる（図２のＲＥＷ（１）の部分）。・・・（中略）・・・記録開始時のテープ位置まで巻き戻しを完了すれば、図３のスイッチ回路制御処理７７によりスイッチ回路６を第１のメカニズム部１側に接続して、図３の第１のメカニズム部制御処理７３と再生信号処理部制御処理７６により第１のメカニズム部１を再生モードに移行させて磁気テープを走行させ、磁気テープからの再生信号を再生信号処理部５において復調して映像音声信号をモニターテレビ２０に出力させる（図２のＰＢ（１）の部分）。」（６頁９欄１１行ないし４２行、図２，３）
ウ　「以上のように２つのメカニズムを用いて記録動作と巻き戻し再生動作を交互に行うことにより、・・・（中略）・・・放送されている番組を約３６分遅れて番組の最初から見ることができることになる。」（６頁１０欄２８行ないし３３行）
エ　前記記載事項からして、刊行物１には、「放送局より送られてくるテレビ番組の電波を受信するためのアンテナ３０と、再生して見るためのモニターテレビ２０と、ＶＴＲ１０は、カセットに収納された磁気テープを走行させて回転ヘッドや固定ヘッドにより磁気テープ上に映像音声信号を記録再生する第１のメカニズム部１と第２のメカニズム部２と、記録動作時にアンテナ３０により入力される信号から所望の番組を選局するチューナ回路や復調された映像音声信号を分離してそれぞれ上記磁気テープ上へ記録できる記録信号に変換処理を行う変調回路等から成る記録信号処理部４と、再生動作時に上記２個のメカニズム部１，２のいずれかから出力される再生信号を復調して映像音声信号を出力する再生信号処理部５と、第１のメカニズム部１および第２のメカニズム部２と再生信号処理部５との接続を切り換えるスイッチ回路６と、前記第１のメカニズム部１と第２のメカニズム部２と記録信号処理部４と再生信号処理部５とスイッチ回路６を各動作モードに応じて制御するシステムコントロール部７とから構成され、
　タイマ予約録画の開始時刻にシステムコントロール部７はタイマ処理７１と第１のメカニズム部制御処理７３と記録信号処理部制御処理７５により記録信号処理部４を起動して予約設定されたチャンネルにチューナを選局するとともに、第１のメカニズム部１を記録モードにして磁気テープを走行させ、記録信号処理部４からの映像音声信号の記録信号を磁気テープ上に記録させ、記録を継続し、その途中に再生開始指令が入力されるとシステムコントロール部７はキー入力処理７２でそれを検知し、第２メカニズム部制御処理７４と記録信号処理部制御処理７５により第２のメカニズム部２を記録モードにして磁気テープを走行させ、記録信号処理部４からの映像音声信号に記録信号を磁気テープ上に記録させると同時に、第１のメカニズム部制御処理７３により第１のメカニズム部１を記録停止させた後、記録開始時のテープ位置まで巻き戻し動作させ、記録開始時のテープ位置まで巻き戻しを完了すれば、スイッチ回路制御処理７７によりスイッチ回路６を第１のメカニズム部１側に接続して、第１のメカニズム部制御処理７３と再生信号処理部制御処理７６により第１のメカニズム部１を再生モードに移行させて磁気テープを走行させ、磁気テープからの再生信号を再生信号処理部５において復調して映像音声信号をモニターテレビ２０に出力させ、２つのメカニズムを用いて記録動作と巻き戻し再生動作を交互に行うことにより、放送されている番組を遅れて番組の最初から見ることができる装置。」（以下、「刊行物発明」という）が記載されていると認められる。
（２）また、当審拒絶理由に引用された、本願の出願日前である平成４年４月２３日に頒布された「特開平４−１２３３６６号公報」（以下、「刊行物２」という）には、次の事項が記載されている。
ア　「本発明のテレビ信号の記録・再生装置は、テレビ信号の受信部から入力される映像および音声信号を記録し、記録した信号を再生してテレビジョンの受像部およびスピーカに出力するものであって、一定容量をもつエンドレステープやメモリなどの記録媒体を、上記映像および音声信号が入力される記録ヘッド手段から、上記受像部およびスピーカに再生信号を出力する再生ヘッド手段に向けて循環送給して記録、再生を行なう記録・再生部と、テレビジョンから離れる視聴者の指示に基づいて、上記記録・再生部の記録動作を開始させる記録指令手段と、テレビジョンに戻った視聴者の指示に基づいて、上記記録ヘッド手段により記録された映像および音声信号を記録当初から再生するように、上記記録・再生部の再生動作を開始させる再生指令手段と、上記記録媒体を介する映像および音声信号の入出力が不要になったとき視聴者の指示に基づいて、上記記録・再生部の動作を停止させる停止指令手段を備えたことを特徴とする。」（２頁右上欄１５行ないし左下欄１４行）
イ　「なお、上記実施例では、エンドレスのビデオテープ１０をもつ記録再生機構９を用いたが、・・・（中略）・・・記録・再生部として、一定容量のメモリにアドレスを循環的に指定してエンドレス方式で放映情報を書き込み、読み出すようなものを用いることもできる。さらに、本発明の記録・再生装置は、テレビジョンに外付けされる実施例のエンドレステープやメモリなどのレコーダに限らず、テレビジョン本体内に組み込んだり、テレビジョンと共に用いられるビデオテープレコーダやビデオディスクプレーヤに組み込むこともできる。」（５頁右上欄１９行ないし左下欄１８行）
（３）また、当審拒絶理由に引用された、本願の出願日前である平成４年１０月２９日に頒布された「特表平４−５０６２７６号公報」（以下、「刊行物３」という）には、次の事項が記載されている。
ア　「テレビジョン放送を受信し記録する装置において、書き込み−再生手段に組合わされたランダムアクセス可逆性記録媒体の上に少なくとも１つのチャンネルからのテレビジョン放送を前記媒体の記憶領域の無摩耗利用を保証しながら連続記録するように装置を常に待機状態にする手段を含み、放送記録はユーザの介入なしで実施され、また再生に際して少なくとも１つの放送を見ることができまた／あるいは事後に完全に記録できる程度のサイズの放送区分が再生されることを特徴とするテレビジョン放送受信／記録装置。」（１頁左下欄２行ないし１１行）
イ　「この装置は記録部において原則としてユーザサイドの制御を含まない。この装置は電気エネルギーを受ける限り作動する。すなわちテレビジョン放送を記録する。」（４頁左上欄１行ないし３行）
　
３　本願発明と刊行物発明との対比
　本願発明と刊行物発明を対比すると、
（１）刊行物発明の「第１のメカニズム部と第２のメカニズム部」は、それぞれ「カセットに収納された磁気テープを走行させて回転ヘッドや固定ヘッドにより磁気テープ上に映像音声信号を記録再生する」ので、エンドレスではないものの、刊行物発明と本願発明とは「記録／再生部」を有する点で一致し、「記録／再生部は、互いに独立して記録し再生することができる２つの記録媒体を備え」ている点で一致している。
　また、刊行物発明の「システムコントロール部」は、「第１のメカニズム部１と第２のメカニズム部２と記録信号処理部４と再生信号処理部５とスイッチ回路６を各動作モードに応じて制御する」ものであるので、本願発明の「記録／再生制御部」に相当する。
　さらに、刊行物発明は「放送されている番組を遅れて番組の最初から見ることができる装置」であるので、「非駆動」ではないものの、刊行物発明と本願発明とは「見る予定をしていたテレビ放映番組を都合により見られなくなった場合であっても、後から遅延再生できる遅延再生装置」である点で一致している。
　そして、刊行物発明は、タイマ予約録画の開始時刻にシステムコントロール部７は記録信号処理部４を起動して予約設定されたチャンネルにチューナを選局するとともに、第１のメカニズム部１を記録モードにして磁気テープを走行させ、記録信号処理部４からの映像音声信号の記録信号を磁気テープ上に記録させ、記録を継続し、その途中に再生開始指令が入力されると第２のメカニズム部２を記録モードにして磁気テープを走行させ、記録信号処理部４からの映像音声信号の記録信号を磁気テープ上に記録させると同時に、第１のメカニズム部制御処理７３により第１のメカニズム部１を記録停止させた後、記録開始時のテープ位置まで巻き戻し動作させ、記録開始時のテープ位置まで巻き戻しを完了すれば、第１のメカニズム部１を再生モードに移行させて磁気テープを走行させ、磁気テープからの再生信号を再生信号処理部５において復調して映像音声信号をモニターテレビ２０に出力させるものであり、磁気テープもメモリも記録媒体といえるから、刊行物発明と本願発明とは「その内の第１の記録媒体は、テレビ放映番組を記録しており、操作者の指示により、現在放映中のテレビ放映番組を放映開始よりも遅延してみる際には、該第１の記録媒体への記録を中止して番組最初からの再生を開始するようにした記録媒体として構成し、他の第２の記録媒体は前記第１の記録媒体が再生を開始すると、記録を開始するようにした記録媒体として構成した」点で一致している。
（２）したがって、両者は「記録／再生部と、記録／再生制御部とを備え、見る予定をしていたテレビ放映番組を都合により見られなくなった場合であっても、後から遅延再生できる遅延再生装置であって、前記記録／再生部は、互いに独立して記録し再生することができる２つの記録媒体を備え、その内の第１の記録媒体は、テレビ放映番組を記録しており、操作者の指示により、現在放映中のテレビ放映番組を放映開始よりも遅延してみる際には、該第１の記録媒体への記録を中止して番組最初からの再生を開始するようにした記録媒体として構成し、他の第２の記録媒体は前記第１の記録媒体が再生を開始すると、記録を開始するようにした記録媒体として構成したことを特徴とする遅延再生装置。」である点で一致し、本願発明は、「非駆動型」の「メモリ」による「非駆動型遅延再生テレビ装置」であって「テレビ本体部」を有し、「エンドレス記録／再生部」であって、「常時、エンドレスでテレビ放映番組を自動的に記録」するものであるのに対し、刊行物発明は、磁気テープによる（駆動型）遅延再生装置であって、モニタとアンテナが接続され、タイマ予約録画の開始時刻からテレビ放映番組を記録するものである点で相違しているものと認められる。
　
４　相違点についての検討
　刊行物２には、遅延再生装置において、アドレスを循環的に指定してエンドレス方式で一定容量のメモリに放映情報を書き込み、読み出すようなものを用いることもできる点が記載されており、前記メモリは非駆動型といえる。また、刊行物２には、テレビジョン本体に組み込むこともできる点が記載されている。
　また、刊行物３には、電気エネルギーを受ける限り常時、自動的にエンドレスでテレビジョン放送を記録するテレビジョン放送受信／記録装置が記載されている。
　そして、記録再生装置を一体化したテレビは周知であって、刊行物１のものは、アンテナ、モニタが接続されチューナで選局しうるものであるから、おなじく、アンテナが接続されチューナで選局され、映像表示するテレビと一体とすることは適宜なし得る。
　さらに、本願発明において、第１のメモリが常時記録するのは、再生動作していない間である（再生動作の間は第１のメモリは記録を中止し、第２のメモリが記録する）ところ、刊行物発明の第１の記録媒体も、録画（記録）開始時刻がくれば、タイマ予約された録画（記録）時間内においては、再生動作および巻き戻し動作をしていない間は、常時、自動的に継続して記録するものであるから、その記録について刊行物２の如く非駆動型のメモリにエンドレス記録し、刊行物３の如く常時、自動的にエンドレス記録することは適宜採用し得る。
　そして、これらを総合的に考慮しても、上記相違点は、当業者が容易に推考できたものであり、また、上記相違点に基づく本願発明の効果に格別顕著なものは認められない。
　
５　請求人の主張
　請求人は平成１５年１０月２７日付け意見書において、「本願第１発明は、（ａ）エンドレス記録／再生部は、互いに独立して記録し再生することができる２つのメモリを備え、その内の第１のメモリは、常時、エンドレスでテレビ放映番組を常時、自動的に記録しており、操作者の指示により、現在放映中のテレビ放映番組を放映開始よりも遅延してみる際には、該第１のメモリへの記録を中止して番組最初からの再生を開始するようにしたメモリとして構成し、他の第２のメモリは前記第１のメモリが再生を開始すると、記録を開始するようにしたメモリとして構成しており、（ｂ）常時、自動的に記録する、すなわち例えばテレビの全チャンネルを記録し再生することができるが、引用刊行物１ないし８には、上記（ａ）、（ｂ）について記載されておらず、示唆する記載もない。」と主張している。
　しかしながら、上記４で検討したように、刊行物３のものも、エンドレスでテレビ放映番組を常時、自動的にテレビ放送番組を記録しているといえ、このように構成することも当業者にとって容易に推考しえた程度のものにすぎず、操作者の指示により、現在放映中のテレビ放映番組を放映開始よりも遅延してみる際には、該第１のメモリへの記録を中止して番組最初からの再生を開始するようにしたメモリとして構成し、他の第２のメモリは前記第１のメモリが再生を開始すると、記録を開始するようにしたメモリとして構成することも、当業者にとって容易に推考しえた程度のものでしかない。
　したがって、請求人の主張を採用することができない。
　
６　むすび
　したがって、本願発明は、刊行物に記載された発明に基いて当業者が容易に発明をすることができたものであるので、請求項２ないし４に係る発明について検討するまでもなく、特許法第２９条第２項の規定により特許を受けることができない。
　よって、結論のとおり審決する。